(57)【要約】      （修正有）【課題】着脱式の天板を有し、収納時には積み重ねることができる膳台などの卓子構造を提供する。【解決手段】脚体３が、左右一対の側方脚台４と、該側方脚台の後端で上方に延びる左右一対の後方脚支柱５と、前記各側方脚台の前端で側方脚台４の内側側面に下端が固着されて上方に延びる前方脚支柱６と、該一対の前方脚支柱の上端間に掛け渡された前方横架片７と、該前方横架片の下側に固定された幕板９と、一対の後方脚支柱５の上端間に掛け渡される後方横架片１０と、上記一対の前方脚支柱の上端から前記側方脚台と平行に伸びて後方横架片の中途位置に固定される上部側方片１１とからなり、天板２が脚体３に着脱可能に支持されていることを特徴とする。【選択図】図１
0003191326.tif 000002
【実用新案登録請求の範囲】
【請求項１】
天板と、該天板に着脱可能に嵌合し天板を支持する脚体とからなり、
該脚体が、前方に配置された左右一対の前方脚支柱と、
該一対の前方脚支柱の上端間に水平に掛け渡されて固定した前方横架片と、
前記左右の前方脚支柱と前方横架片とで囲まれていた個所に固定される幕板と、
前記前方脚支柱の下部で、前方脚支柱の外側側面に連結片部を介して連結されると共に、該連結片部の横幅分の隙間を隔てて後方へ延びる側方脚台と、
前記前方脚支柱の上端から側方脚台と横方向に隙間を隔てた状態で平行に後方へ延びる上部側方片と、
前記側方脚台の後端を下部に固定して上方に延びる左右一対の後方脚支柱と、
該左右一対の後方脚支柱の上端間に掛け渡されて固定されると共に、前記上部側方片の後端を後方脚支柱の内側で固定する後方横架片とからなり、
前記天板の裏面には、前記後方横架片の左右の端部側で、少なくとも上部側方片との固着個所から外方へ突出する部分である突出片部を嵌合する脚掛止部を形成してなることを特徴とする積み重ね可能な膳台などの卓子構造。
【請求項２】
前記前方脚支柱の下端及び後方脚支柱の下端が、側方脚台の底面より下方に伸びていることを特徴とする。
【請求項３】
天板が、複数の脚体を並列に並べた際に複数の脚体上部に一連に取り付けることができる一枚の横長の天板からなっており、
該天板の裏面に、左右両端の脚体に設けられて天板の左右両端に近接した位置の突出片部を嵌合する脚掛止部を左右一対に設けていることを特徴とする請求項１または２に記載の卓子構造。
【請求項４】
天板が、複数の脚体を並列に並べた際に複数の脚体上部に一連に取り付けることができる一枚の横長の天板からなっており、
該天板の裏面に、左右両端の脚体に設けられて天板の左右両端に近接した位置の２つの突出片部または、近接した位置の２つの上部側方片の位置を規制するための裏枠が設けられていることを特徴とする請求項１または２に記載の卓子構造。
【考案の詳細な説明】
【技術分野】
【０００１】
本考案は、着脱式の天板を有し、収納時には積み重ねることができる膳台などの卓子構造の改良に関するものである。
【背景技術】
【０００２】
従来、特開２０１１−５５８７５号の机では、天板と、この天板を支持する脚体とを具備してなり、前記脚体同士を噛み合わせて所定のピッチでスタッキングすることができるように構成した机であって、前記脚体が、左右に延びる中間フレームの両端から前後いずれかの方向に延びる端部フレームを延出させてなるベースと、このベースの端部フレームの先端部に立設した左右に対をなす第１の脚支柱と、前記第１の脚支柱の離間幅よりも小さな離間幅をもって前記中間フレームに立設した左右に対をなす第２の脚支柱と、前記第２の脚支柱の上端部間を連結する第２の横梁とを具備した構成が開示されている。
しかし、上記構成では、前方に左右に延びる中間フレームを有しているため、机の前に人が近づいた際に、中間フレームに足がひっかかる恐れがあり、机が例えば膳台として用いられる場合には、酌などをしづらいという欠点があった。
また、脚体に木製の板を用いた場合には、板材の断面が長方形や正方形となるので、積み重ねた場合に隙間なく嵌合するので、積み重ね状態から使用に際して取り外す際に密着して外しにくいという問題点もある。
更に、天板と脚体とが固定されている場合には、積み重ね時に嵩張ると共に天板の大きさが限定される。
一方、本出願人は、特許第３７７７０７８号の卓子及び卓子と脇収納箱の組合せ構造を提案しており、天板と支持台を着脱しうる構成を提案し、支持台と天板とを別々に積み重ねて収納する構成を提案しているが、支持台は天板部を支持する正方形または長方形の枠部と該枠部から一体に垂下する脚柱とからなっており、前記枠部が、平行に離間した縦または横に延びる一対の第一枠辺と、該第一枠辺の長手方向の端部より内側で第一枠辺間に横架された横または縦方向に延びる一対の第二枠辺とからなって、前記第一枠辺に第二枠辺より外方に突出し、積み重ねた際の脚柱を嵌合可能な長さに設定された突出部分を形成してなり、前記第二枠辺で第一枠辺に接した位置に脚柱を配置してなり、前記枠部にプレート状の幕板を嵌込む嵌込溝を左右一対に設けており、該嵌込溝が、第二枠辺の上端で、脚柱の延長位置に開口部を穿設し、該第二枠辺を通り脚柱の中途位置まで延びている構成となっている。
従って、上記構成では、支持台の強度を確保しつつスタッキングの際のピッチを可及的に小さくすることは困難であった。
【先行技術文献】
【特許文献】
【０００３】
【特許文献１】特開２０１１−５５８７５号公報
【特許文献２】特許第３７７７０７８号公報
【考案の概要】
【考案が解決しようとする課題】
【０００４】
この考案は、上記事情に鑑みて創案されたものであって、膳台として使用しやすいように前方で左右に延びる中間フレームを省略すると共に、積み重ねた状態から容易に取り外すことができ、且つ脚体の強度を確保しつつスタッキングの際のピッチを可及的に小さくした卓子構造を提供することにある。
また、幕板の取付・取り外しの手間を省き、幕板を固定して脚体の強度を高めた卓子構造を提供することにある。
【課題を解決するための手段】
【０００５】
上記課題を解決するために、請求項１の考案では、
天板と、該天板に着脱可能に嵌合し天板を支持する脚体とからなり、
該脚体が、前方に配置された左右一対の前方脚支柱と、
該一対の前方脚支柱の上端間に水平に掛け渡されて固定した前方横架片と、
前記左右の前方脚支柱と前方横架片とで囲まれていた個所に固定される幕板と、
前記前方脚支柱の下部で、前方脚支柱の外側側面に連結片部を介して連結されると共に、該連結片部の横幅分の隙間を隔てて後方へ延びる側方脚台と、
前記前方脚支柱の上端から側方脚台と横方向に隙間を隔てた状態で平行に後方へ延びる上部側方片と、
前記側方脚台の後端を下部に固定して上方に延びる左右一対の後方脚支柱と、
該左右一対の後方脚支柱の上端間に掛け渡されて固定されると共に、前記上部側方片の後端を後方脚支柱の内側で固定する後方横架片とからなり、
前記天板の裏面には、前記後方横架片の左右の端部側で、少なくとも上部側方片との固着個所から外方へ突出する部分である突出片部を嵌合する脚掛止部を形成してなることを特徴とする。
請求項２の考案では、
前記前方脚支柱の下端及び後方脚支柱の下端が、側方脚台の底面より下方に伸びていることを特徴とする。
請求項３の考案では、
天板が、複数の脚体を並列に並べた際に複数の脚体上部に一連に取り付けることができる一枚の横長の天板からなっており、
該天板の裏面に、左右両端の脚体に設けられて天板の左右両端に近接した位置の突出片部を嵌合する脚掛止部を左右一対に設けていることを特徴とする。
請求項４の考案では、
天板が、複数の脚体を並列に並べた際に複数の脚体上部に一連に取り付けることができる一枚の横長の天板からなっており、
該天板の裏面に、左右両端の脚体に設けられて天板の左右両端に近接した位置の２つの突出片部または、近接した位置の２つの上部側方片の位置を規制するための裏枠が設けられていることを特徴とする。
【考案の効果】
【０００６】
本考案の卓子構造は、前方下部に左右に延びる片を設けていないので障害物がなく、膳台として使用しやすい。
また、脚体に断面四角形の板材を用いても、積み重ねた状態から脚体を順に容易に取り外して使用に供することができる。
また、脚体の強度を確保しつつスタッキングの際のピッチを可及的に小さくして省スペース化を図ることができる。
【図面の簡単な説明】
【０００７】
【図１】天板を点線で示した卓子の脚体の斜視図である。
【図２】（ａ）は脚体の一側の隙間を示す正面図、（ｂ）は同平面図、（ｃ）は要部を示す斜視図である。
【図３】天板の裏面と脚体の上部の嵌合状態を示す底面図である。
【図４】（ａ）は脚掛止部と突出片部の嵌合状態を示す部分底面図、（ｂ）は同側面図である。
【図５（ａ）】脚体の積み重ね状態を示す平面図である。
【図５（ｂ）】脚体の積み重ね状態を示す斜視図である。
【図６】２つの脚体に１つの天板を取り付けた実施例の嵌合状態を示す底面図である。
【図７（ａ）】２つの脚体に１つの天板を取り付けた別の実施例の嵌合状態を示す底面図であって、中間脚掛止部を設けた例を示す図である。
【図７（ｂ）】２つの脚体に１つの天板を取り付けた別の実施例の嵌合状態を示す底面図であって、裏枠を設けた例を示す図である。
【図７（ｃ）】２つの脚体に１つの天板を取り付けた別の実施例の嵌合状態を示す底面図であって、裏枠を設けた別の例を示す図である。
【図８】天板の脚掛止部の異なる実施例を示す側面図である。
【図９】脚体と天板をスタッキングする台車の一例を示す側面図である。
【考案を実施するための形態】
【０００８】
この考案は、脚体の前方下部に左右に延びる片を設けることなく、断面四角形の板材を用いた脚体の積み重ねを省スペースで実現し、また使用時の取り外しも容易にした。
【実施例１】
【０００９】
以下に、この考案の卓子構造を膳台に適用した好適実施例について図面を参照しながら説明する。
［膳台］
図１に示す膳台１は、天板２と、該天板２を着脱可能に支持する脚体３とからなっており、図１中では脚体３を実線で、天板２を点線で図示した。
【００１０】
［脚体］
脚体３は、その主要部材が横幅の長さを広くした同一矩形断面形状の木製の板材からなっているが、この考案では木製に限らず、金属や合成樹脂を素材とするものでもよい。
脚体３は、側方脚台４と、後方脚支柱５と、前方脚支柱６と、上部側方片１１とを左右一対に有しており、前記一対の前方脚支柱６の上端間に前方横架片７が、前記一対の後方脚支柱５の上端間に後方横架片１０がそれぞれ掛け渡されて固定されている。
【００１１】
側方脚台４は、設置面に接して前後方向に伸びており、膳台１の横幅方向に所定間隔離間して、左右一対に配置されている。
後方脚支柱５は、各側方脚台４の後端にそれぞれ固定され、垂直に上方に延びている。
本実施例では、側方脚台４が中空となるように後方脚支柱５および前方脚支柱６の下端が側方脚台４の下端より下方に延びて同一レベルに設定されている。
これは、各支柱５、６の下端を一連に長くするものでも、あるいは各支柱５、６の下端にキャップや接地部材を取り付けて長くするものでもよい。
これにより、畳や床の設置面に対しては後方脚支柱５および前方脚支柱６の下端のみが接するので、上記設置面に段差があっても対応することができる（図１（ｂ）参照）。
【００１２】
前方脚支柱６は、前記各側方脚台４の前端で側方脚台４の内側側面に下端が固着されて上方に垂直に延びている。
上記前方横架片７は、一対の前方脚支柱６の上端間に水平に掛け渡されて固定されている。
【００１３】
本実施例では、前方横架片７の下方となる前方脚支柱６の中途位置に、前記前方横架片７と平行に中間横架片８が掛け渡されて固定されている。
そして、前記前方横架片７と中間横架片８の間に幕板９が嵌め込まれて固定される。
幕板９は、前方脚支柱６間の上部空間を塞ぐ目隠しプレートであって、例えば前方横架片７の底面およびまたは中間横架片８の上面に横架方向に沿って溝を刻設し、幕板９の上端およびまたは下端を差し込んで取り付けてもよい。
また、幕板９を前方脚支柱６間や前方横架片７に固定した場合には、中間横架片８は設けなくても、強度を保持できる。
【００１４】
後方横架片１０は、前記一対の後方脚支柱５の上端間に水平に掛け渡され固定される。
上部側方片１１は、上記一対の前方脚支柱６の上端から前記側方脚台４と平行に伸びて後方横架片５の上部で幅方向の中途位置に固定される。
【００１５】
そして、前方横架片７と、上部側方片１１と、後方横架片１０ の上端面とは同一の水平面上となるように、脚体３の高さを揃えている。
図示例では、側方脚台４と、後方脚支柱５と、前方脚支柱６と、上部側方片１１とが同一形状の断面四角形の板材からなっているが、後方横架片１０も同じ板材としてもよい。
上記板材は、厚みに対して板の横幅を広く設定することで、強度を高めることができる。
【００１６】
また、前方脚支柱６と後方脚支柱５との間に固定される側方脚台４は、先端で前方脚支柱６側に突出して前方脚支柱６の側壁に固定される連結片部５０を設けており、該連結片部５０の横幅に相当する側方への隙間１５を形成して前記前方脚支柱６に連設される上部側方片１１と平行に配置されている。
更に、本実施例では、前方脚支柱６に対して後方脚支柱５は、前後方向で僅かな隙間１５’を開けて並んでいる（図２（ａ）〜（ｃ）参照）。
即ち、側方脚台４は、前端側面で内向き突出する連結片部５０を有しており、該連結片部５０を介して前方脚支柱６に固定されているので、前記連結片部５０の横幅分だけ前方脚支柱６の外側側面から離間した位置で平行に延びており、後端が後方脚支柱５に前記隙間１５の分と前記隙間１５’の分だけ横幅方向にずれて固着されている。
前方脚支柱６の外側側面は、上部側方片１１の外側側面と同一面で一致しているので、前記隙間１５と１５’によって、後述の脚体３’をずらしてスタッキングする際に、下方の脚体３の上部側方片１１や前方脚支柱６に上方の脚体３’の後方脚支柱５’が衝合せず、スムーズに積重ねや取外しができる。
【００１７】
［天板］
天板２は、矩形プレートからなっており、前記脚体３の上部を覆うように取り付けられる（図１参照）。
天板２は外周に沿って断面アングル状の縁部２４を取り付けており、天板２の外周に沿って天板周壁２５を形成し、該天板周壁２５で囲まれた内面の部分は窪んでいる。
【００１８】
そして、天板２の前記内面（底面）には図３〜４に示すように、天板２のコーナーに沿って前記天板周壁２５と同様に隆起すると共に、前記突出片部１２を嵌合し掛止めるための脚掛止部２０が設けられている。
【００１９】
脚掛止部２０は、平面視で略直角二等辺三角形状で隆起する突出部分２１と、該突出部分２１の斜辺で開口して天板２の長手辺と平行に中途位置まで延びて突出部分を窪ませる溝部２２を有している。
そして、突出部分２１の先端面は、前記周壁２５の先端面と同一面状に設定されている。
上記脚掛止部２０は、天板２の後方の左右のコーナー側に形成することで、一対の突出片部１２を掛止めることができるが、前後対称に合計４カ所設けておけば、天板２の前後を決めなくても、前後いずれの向きであっても脚掛止部２０の溝部２２に前記突出片部１２を嵌め込んで掛止めることができる。
【００２０】
脚体３の前方側の前方横架片７は、突出片部が形成されないので、脚掛止部２０の溝部２２に嵌合することはないが、前方横架片７の両端の外側の面は、前記溝部２２の一方の溝壁部２３と接するので、脚体３に対する前後方向への動きを規制することができる。
【００２１】
また、図８に示すように、脚掛止部２０は、天板２の周壁２５より下方に突出させてもよい。
図示例では、天板２を上下に積み重ねる際に、上段に配置される天板２の脚掛止部２０を下段に配置される天板２に載置する際の位置決め用に段差部２４ａを形成する必要があるが、天板２の上面に脚掛止部２０に対応する窪み部を受部として形成してもよい（図示せず）。
【００２２】
上記構成からなっているので、スタッキングに際しては、図５（ａ）（ｂ）に示すように、上方の脚体３’を下方の脚体３の前方へ平行に順次ずらして積み重ねることで、上方の脚体３’の前方支脚部６’が下方の脚体３の前方支脚部６の直前に重なり、上方の脚体３’の後方支脚部５’が下方の脚体３の後方支脚部５の直前に重なり、上方の脚体３’の側方脚台４’が下方の脚体３の側方脚台４の上に載置されるように積み重ねられる。
なお、図中最上段の脚体３”の構成は説明上、符号に「”」を付している。
【００２３】
同様に、天板２は脚体３と分離して積み重ねることができるので、図９に例示するように、台車３０に設けられた略く字状のホルダー３２上に略４５度に傾けてスタッキングした複数の脚体３を掛け止めて支持し、前記ホルダー３１の下方に設けた収納スペース３３に、脚体３に対応した天板２を上下に積み重ねて収納する。
換言すれば、上記台車３０は、下段に走行用のキャスタを設けた箱形の台部３１を設けて中空部分を収納スペース３３として用いており、前記台部３１の側面で外側に突出する位置に断面チャンネル状からなり側面視で直角に折れ曲がるＶ字状のホルダー３２を固設している。
セッティングに際しては、先ず効率よく台車３０から脚部３を降ろし配置してから天板２を脚部３の上にセットしていくので、天板２が台車３０の下部に収納されている方が作業効率を高めることができる。
【００２４】
前記台部３１は、横幅を脚体３の左右の前方支脚部６間の幅より短い長さに設定してあり、その左右の外側に設けた一対のホルダー３２の間隔は、左右の後方支脚部５の間隔に設定している。
従って、天板２は、縦横の一方の辺（図示例では短手辺）の長さが、上記台部３１の横幅内に挿入可能な長さに設定されており、上記長さの範囲内で前後の縁部の余裕を入れて前方横架片７と後方横架片１０との間隔が設定される。
【００２５】
これによりホルダー３２は後方支脚部５と側方脚台４とを掛止めることができる。
あるいは、一対のホルダー３２の間隔を、左右の前方支脚部６の間隔に設定すれば、脚部を逆向きにしてホルダー３２に前方支脚部６と上部側方片１１とを掛け止めるようにしてもよい。
なお、符号３５は台車３０のハンドルである。
このようにすれば、台車３０によって、多数の天板２と脚体３とを同時に搬送することができる。
【実施例２】
【００２６】
図６は天板２の異なる実施例を示す。
この天板２は、複数の脚体３、３に取り付けることができる１枚構造の天板２からなっている。
図示例では２台の脚体３、３を例に説明すると、天板２は、四隅に脚掛止部２０をそれぞれ設けている。
【００２７】
そして、長手方向で対向する脚掛止部２０の溝部２２間の長さは、２台の脚体３、３’を横に隙間なくならべた際の２つの後方横架片１０、１０’の長さと同じに設定されている。
【００２８】
従って、一方の脚掛止部２０には、隣接する脚体３の一方の突出片部１２が嵌合し、他方の脚掛止部２０には、隣接する脚体３の他方の突出片部１２が嵌合するようになっている。
脚掛止部２０に嵌合しない突出片部１２’同士は、略隙間なく衝合している。
その他の構成は前記実施例と同様である。
これにより、複数横に並んだ脚体３、３であっても１つの天板２を掛止めて使用することができる。
【実施例３】
【００２９】
図７（ａ）は、複数の脚体３、３に１つの天板２を載置しうる別の実施例を示す。
この天板２は、前記実施例２の天板２と同様に４隅に脚掛止部２０をそれぞれ設けている。
更に、本実施例では、長手方向の左右の脚掛止部２０の中間に中間脚掛止部２６を設けている。
【００３０】
中間脚掛止部２６は、左右対称に溝部２７を設けた平面視略Ｔ字状の隆起部からなっており、前記溝部２７はそれぞれ両端の隅部の脚掛止部２０の溝部２２と対になって、脚体３の両端の突出片部１２をそれぞれ嵌合し掛止めるようになっている。
【００３１】
中間脚掛止部２６は、隣接する脚体３のそれぞれの突出片部１２の一方（１２’とする）を嵌合し掛止めるので、複数の脚体３を掛止める際には、脚体３の数より１つ少ない数の中間脚掛止部２６を、両端の脚掛止部２０の間に所定間隔に毎に配置すればよい。その他の構成は前記実施例と同様である。
【００３２】
また、図７（ｂ）では、左右両端の脚掛止部２０の間に沿って長手方向に延びる横裏枠２８を天板２の前後の縁部に沿って設けており、天板２の中央には、前記中間脚掛止部２６に替えて、セットした脚体３、３の間で隣接する突出片部１２’、１２’の間に略隙間なく嵌込むことができる幅に形成された中央縦裏枠２９ａが前後の横裏枠２８間に掛け渡されて天板２裏面に固定されている。
これによっても、図７（ａ）と同様に２台の脚体３に１枚の天板２を掛止めることができる。
【００３３】
図７（ｃ）では、中央縦裏枠２９ａに替えて中央横裏枠２９ｂを天板２の裏面に固定した構成を示す。
この中央横裏枠２９ｂは、並んだ脚体３、３間で隣接する上部側方片１１、１１の間に配置されて、それぞれの脚体３，３の姿勢を前記天板２の脚掛止部２０と共に規制する。
図示例では、中央横裏枠２９ｂは、天板２の裏面中央に２つ並んで平行に配置されているが、その数は問わない。
その他の構成は前記図７（ｂ）と同様であるので、その説明を省略する。
【００３４】
ここで脚体や天板の素材は、木製に限らず、合成樹脂や金属、あるいはこれらの素材の組み合わせを用いてもよい。
その他この発明は、上記実施例に限定されるものではなく、この発明の要旨を変更しない範囲で種々設計変更しうること勿論である。
【符号の説明】
【００３５】
１    膳台            
２    天板            
３    脚体            
４    側方脚台        
５    後方脚支柱      
６    前方脚支柱      
７    前方横架片
８    中間横架片
９    幕板            
１０    後方横架片
１１    上部側方片
１２    突出片部
１５    隙間
２０    脚掛止部
２１    突出部分
２２    溝部
２４    縁部
２６    中間脚掛止部
３０    台車
【図１】
0003191326.tif 000003
【図２】
0003191326.tif 000004
【図３】
0003191326.tif 000005
【図４】
0003191326.tif 000006
【図５（ａ）】
0003191326.tif 000007
【図５（ｂ）】
0003191326.tif 000008
【図６】
0003191326.tif 000009
【図７（ａ）】
0003191326.tif 000010
【図７（ｂ）】
0003191326.tif 000011
【図７（ｃ）】
0003191326.tif 000012
【図８】
0003191326.tif 000013
【図９】
0003191326.tif 000014
【手続補正書】
【提出日】平成26年4月9日(2014.4.9)
【手続補正１】
【補正対象書類名】実用新案登録請求の範囲
【補正対象項目名】請求項２
【補正方法】変更
【補正の内容】
【請求項２】
前記前方脚支柱の下端及び後方脚支柱の下端が、側方脚台の底面より下方に伸びていることを特徴とする請求項１に記載の卓子構造。